(57)【要約】【課題】自動精米装置において、精米の仕上がりを利用者に報知させて、精米後の白米を何時でも取出可能にして、精米の待ち時間を有効に利用できるようにする。【解決手段】  精米装置２に、この精米利用者を識別する識別手段３と、この識別手段３による識別によって精米仕上がりを報知する報知手段４と、仕上白米を取出す取出装置５を設ける。精米利用者が、玄米を玄米ホッパ１に投入し、識別記号等を設定することにより、精米が自動的に行われる。この精米によって、この精米された白米を取出装置５で何時でも取出できると共に、この精米が仕上がると設定の識別手段３による識別記号に基づいて、報知手段４から精米の完了を報知可能の状態とする。この識別記号を設定の精米利用者は携帯電話器等の受信器によって受信することができ、識別手段３による利用者識別に基づいて取出装置５から白米の取出を受けることができる。【選択図】  図１
2006015204.tif 000002
【特許請求の範囲】
【請求項１】
玄米ホッパ１に投入された玄米を精米して白米として取出す精米装置２に、この精米利用者を識別する識別手段３と、精米仕上がりを報知する報知手段４と、上記識別手段３による識別によって仕上白米を取出す取出装置５を設けたことを特徴とする自動精米管理装置。
【請求項２】
前記精米装置２には、玄米タンク６、及び白米タンク７を配置して、利用者毎の玄米、白米を収容してストックし随時取出可能に設けたことを特徴とする請求項１に記載の自動精米管理装置。
【請求項３】
前記精米装置２は、ストック精米と、白米をストックしないで直ちに取出すノンストック精米とに切替可能に設けたことを特徴とする請求項１又は請求項２に記載の自動精米管理装置。
【請求項４】
前記精米装置２を設置する精米所の一側に玄米ホッパ１を設け、これと反対側に白米を取出す白米取出部８を設けたことを特徴とする請求項１、２、又は３に記載の自動精米管理装置。
【発明の詳細な説明】
【技術分野】
【０００１】
この発明は、精米を自動化すると共に、精米の完了を自動通報させて白米の取出を行わせるもので、精米の待ち時間の有効利用を図るものである。
【背景技術】
【０００２】
玄米をホッパに投入して、所定のコインをコインメックに投入することによって自動的に精米を行って、白米として取出す技術が実施され、また、知られている。又、車両管理の制御技術として暗証記号を入れることによって、この暗証記号の照合と、車両管理制御を行う車両管理システムの技術（例えば、特許文献１参照）が知られている。
【特許文献１】特開２００４ー７４８３２号公報（第１頁、図１）。
【発明の開示】
【発明が解決しようとする課題】
【０００３】
所定のコインと、玄米を投入して自動的に精米を行わせるコイン精米装置にあっては、精米が行われる間の所定の精米時間を要するために、精米利用者が多いときは待ち時間が長くなり、精米装置の設置場所に制約を受けやすい。そこで、この発明は、この自動精米装置において、精米の仕上がりを利用者に報知させて、精米後の白米を何時でも取出可能にして、精米の待ち時間を有効に利用できるようにするものである。
【課題を解決するための手段】
【０００４】
請求項１に記載の発明は、玄米ホッパ１に投入された玄米を精米して白米として取出す精米装置２に、この精米利用者を識別する識別手段３と、精米仕上がりを報知する報知手段４と、上記識別手段３による識別によって仕上白米を取出す取出装置５を設けたことを特徴とする自動精米管理装置の構成とする。精米利用者が、玄米を玄米ホッパ１に投入し、識別記号等を設定することにより、精米が自動的に行われる。この精米によって、この精米された白米を取出装置５で何時でも取出できる状態とすると共に、この精米が仕上がると報知器等の報知手段４から精米の完了を報知可能の状態とする。この識別記号を設定の精米利用者は、携帯電話器等の受信器によってこの報知を受信することができる。この精米完了の報知を受けた精米利用者は、識別手段３による利用者識別に基づいて取出装置５から白米の取出を受けることができる。
【０００５】
請求項２に記載の発明は、前記精米装置２には、玄米タンク６、及び白米タンク７を配置して、利用者毎の玄米、白米を収容してストックし随時取出可能に設けたことを特徴とするものである。前記のように玄米ホッパ１に玄米を投入するときは、既に精米装置２において精米が行われているときでも供給することができる。この玄米ホッパ１の供給玄米は空いている玄米タンク６へ収容されてストックされる。この玄米タンク６に収容された玄米は、現在行われている精米が終り、かつ、更には先に他の玄米タンク６に収容されていた玄米の精米が終った後で順序的に精米される。又、これら精米された白米は、前記のようにして取出装置５によって取り出されるが、利用者による取出が遅れたり、取出の指示がないとき等では、精米仕上がりの白米は、白米タンク７に収容されてストックされている。この白米タンク７にストックされている白米は、後に利用者が識別手段３を照会することによって随時取出すことができる。
【０００６】
請求項３に記載の発明は、前記精米装置２は、複数の白米タンク７でストックするストック精米と、白米をストックしないで直ちに白米取出タンク１６から取出すノンストック精米とに切替可能に設けたことを特徴とするものである。これらストック精米とノンストック精米との精米モードが、利用者の指定による場合や、自動によって切替られる場合がある。ストック精米を選択するときは、精米完了後所定の時間を経てから白米を取出すときや、同時に精米利用者の多い場合で、前記のように待ち時間をなくして随時に連続して玄米ホッパ１に玄米を供給して、これら玄米、又は精米後の白米をストックしながら自動精米運転することができる。又、ノンストック精米を選択するときは、精米の完了と同時に白米を取出する場合である。ストック精米では、前記のように玄米タンク６への玄米収容や、白米タンク７への白米収容等が行われるが、これらの玄米タンク６や、白米タンク７等が満杯で既に収容ストック中であり空タンクがないときは、ストック精米を行うことができず、このようなときは手動、又は自動的にノンストック精米に切替えて精米することができる。
【０００７】
請求項４に記載の発明は、前記精米装置２を設置する精米所の一側に玄米ホッパ１を設け、これと反対側に白米を取出す白米取出部８を設けたことを特徴とするものである。玄米や、白米等は自動車等の車両によって搬入、搬出することが多いが、この車両を精米所の一側の玄米ホッパ１の側に止めて、玄米袋をこの玄米ホッパ１に移して、玄米をこの玄米ホッパ１に移込み供給して精米可能な状態とする。この玄米ホッパ１に供給された玄米は、精米装置２で精米されて取出装置５を経て白米取出部８側へ搬送することができる。又、精米後の白米を取り出すときは、該玄米ホッパ１の側とは反対側の白米取出部８側に車両を止めて、この白米取出部８から取り出した白米袋を車両に積み込んで運搬して持ち帰る。
【発明の効果】
【０００８】
請求項１に記載の発明は、精米を行うにあたって識別手段３を用いて精米利用者を識別することによって、自動精米の状況を管理して、精米が終ると報知手段４によって利用者へ報知できる状態にすると共に、この精米後の白米を識別手段３によって何時でも取出すことができる状態とするため、利用者は、玄米を供給した後は、精米が完了するまでその場所で待機する必要はなく、又、この精米場所から離れた所からでも精米の完了を知ることができ、精米の待ち時間を他の仕事時間として有効利用することができる。
【０００９】
請求項２に記載の発明は、精米利用者が、玄米を精米利用の込合い状態に拘らず直ちに供給して玄米タンク６に収容ストックしておくか、又は、白米タンク７に収容ストックしておくことによって、随時玄米の持込み供給や、白米の取出等を行うことができ、精米のためだけの待ち時間を少なくすることができ、識別手段３による利用者毎の精米を混合することなく正確に行うことができ、精米能率をも高めることができる。
【００１０】
請求項３に記載の発明は、精米モードをストック精米と、ノンストック精米とに切替て行わせるものであるから、利用者の利用状況や、必要等に応じて、又は、機械的に選択することができ、効率のよい精米を行わせることができる。
【００１１】
請求項４に記載の発明は、自動精米装置２の玄米ホッパ１と、ここで精米された白米を取り出す白米取出部８とが、精米所の入口側と出口側との相対向する反対側の位置に配置されるものであるから、車両等による玄米持込みと白米取出を干渉することなく円滑に行わせることができる。
【発明を実施するための最良の形態】
【００１２】
図面に基づいて、自動精米装置２、及びこの精米作用を制御管理する精米管理装置１１等を有する精米ハウス１２が、道路際、乃至スーパーマーケットの駐車場の一角出入口部等に設けられて、精米所として構成される。この精米所の前後方向の略中央部に精米装置２を設け、この前後方向に玄米タンク６と白米タンク７等を配置する。この精米装置２は、荷受けされる玄米の投入を受ける玄米ホッパ１や、この玄米を搬送して石抜装置１３へ供給するオーガ１８及び昇降機１４、この石抜選別された玄米を昇穀する昇降機１７、この玄米を受けて精米する精米機１５、及びこの精米された白米を取出す取出ホッパ１６等から構成される。この昇降機１４の上部には分配器２０を設けて、荷受けして昇穀された玄米を選択されたシュート２１を経て指定の玄米タンク６に供給することができる。
又、この玄米タンク６に収容された玄米は、精米行程では該昇降機１７に取り出されて、この昇降機１７を介して精米機１５へ供給することができる。又、精米機１５と白米タンク７との間には、昇降機２２や、オーガ２３、及び分配器２４等が配置されて、白米を分配器２４から何れか選択させたシュータ２５を介して指定の白米タンク７に搬送して収容させることができる。この各白米タンク７に収容された白米はシュータ等のコンベア２６を介して白米取出部８の取出装置５へ搬送することができる。この白米タンク７の側端部には糠溜室２７を形成して、糠を収容する糠袋２８を収容することができ、この糠袋２８には前記精米機１５の排糠ホース２９を連通させて糠を収容することができる。
【００１３】
該精米ハウス１２の左右両側には、車両３２の停止できる通路Ａ、通路Ｂを設けて、これらの通路Ａ、Ｂに車両３２を停止して玄米や、白米を積降しできる。精米装置２の左右両側には、前記玄米ホッパ１と、コントロールボックス３３の操作盤、及び取出ホッパ１６等が配置される。このコントロールボックス３３の操作盤には、精米する利用者の識別を行う識別手段３と、所定のコインを投入するコインメック３４とが設けられる。精米を行うときは利用者が、このコインメック３４に所定のコインを投入して、識別手段３に暗証記号を入れることによって、所定量の玄米を玄米ホッパ１に供給すると、精米機１５による自動的精米制御が行われる。又、白米取出部８は、該精米ハウス１２の通路Ａ、Ｂ側の前記取出ホッパ１６部に代えて設けることができるが、又、これらとは別に白米取出に便利な場所等に設置することができ、白米を受けて袋詰め収容する取出ボックス３５と、暗証記号を入力するキーボード３６と、精算用のコインメック３８と等を有する。白米タンク７に収容された白米を取り出す取出装置５は、コンベア２６と、白米取出部８の取出ボックス３５と等からなり、この取出ボックス３５には、該キーボード３６や、コインメック３８、及び開閉可能の扉３９等を有し、この取出ボックス３５の上部にコンベア２６をのぞませている。このキーボード３６により暗証記号入力することによって、この暗証記号入力者の白米として白米タンク７に保管されていた白米が、コンベア２６を経て取出ボックス３５に搬送させてボックス内部で袋５０詰めすることができる。前記精米機１５からシュータ３７を介して、前記昇降機２２、及び左右の白米取出ホッパ１６へ切替て排出することができる。精米された白米を直ちに取り出すときは左右何れかの白米取出ホッパ１６を選択して取り出させる（ノンストック精米）。又、ストック精米では、昇降機２２へ切替て精米された白米を前記何れかの白米タンク７へ供給させるものである。
【００１４】
又、これらの切替は、手動操作によっても行うことができるようにするが、前記ストック精米モードや、精米状態等によっても自動的に行われるものである。
この精米装置２のコントロールボックス３３のコントローラ４０には、前記精米管理装置１１の制御のため、次のような各種の制御ソフトが設定されている。即ち、精米利用者を識別するための識別制御Ｃ１と、精米を開始するための精米開始制御Ｃ２と、この精米開始により精米を行うための精米制御Ｃ３と、精米の完了された白米を取り出すための白米取出制御Ｃ４と、玄米タンク１の荷受け玄米を玄米タンク６に収容したり、又は精米後の白米を白米タンク７に収容してストックするためのストック制御Ｃ５と、及び、精米の情報を利用者に報知するための情報制御Ｃ６等の各制御ソフトが設定されていて制御を行わせることができる。このうち識別制御Ｃ１は、利用者が玄米を玄米ホッパ１に供給した者であるか否かを識別するものであり、コントロールボックス３３のキーボード４１や、白米取出部８のキーボード３６等により暗証記号を打ち込むことによって、この暗証記号をコントローラ４０のメモリーに記憶して利用者であることを確認するものであり、精米後の白米取出完了までの間の各操作を行うにあたり利用者であることを確認して、前記各制御Ｃ２、Ｃ３、Ｃ４、Ｃ５、Ｃ６等を正確に行わせることができる。
【００１５】
次に、この精米開始制御Ｃ２は、利用者によるノンストック精米か、ストック精米かの指定により異なる。ノンストック精米では、玄米ホッパ１から精米機１５へ玄米が供給されて、原則として即時に精米が開始されるが、既に先客の精米が行われているときは、この精米の終了を待って、玄米ホッパ１の玄米が精米機１へ供給されて精米開始されることになる。ストック精米を指定したときは、玄米ホッパ１に供給した玄米が、何れか空の玄米タンク６に搬送供給されて、精米順序を待って、玄米タンク６の玄米が精米機１５へ供給されて精米開始される。又、このストック精米では、精米後の白米を収容するための白米タンク７の空きがないときは、この白米タンク７の空きを待って精米が開始されることになる。そして、精米制御Ｃ３は、この精米の開始によって、玄米ホッパ１、又は玄米タンク６玄米を石抜装置１３へ搬送して石抜選別し、さらに精米機１５へ供給して精米する。又、取出制御Ｃ４は、このようにして精米完了された白米を取出ホッパ１６へ取り出すものであるが、ストック取出を指定したときは、この精米された白米が空きの白米タンク７に収容されてから、後に利用者からの指令を待ってこの白米タンク７から白米取出部８へ取り出される。
【００１６】
前記ストック制御Ｃ５は、利用者による切替指定によって、玄米ホッパ６の玄米が玄米タンク６へ搬送収容されるもので、精米の順序を待って精米される。又、この玄米を供給するとき、先客の精米が行われていないときで精米が可能なときは、直ちに精米が行われて、この白米が白米タンク７に収容されて取出の指示を待つこともできる。更に、この玄米を供給するとき、玄米タンク６や白米タンク７が全て満杯であるときは、ストック精米が不可能として、ノンストック精米を行うように切替操作を促すものである。
【００１７】
前記情報制御Ｃ６は、利用者に必要な指示や情報を報知するもので、ストック精米や、ノンストック精米の可否や、ストック精米の可能な場合はこのストックの待ち時間や、その後の変更時間等を演算して報知することができる。又、精米の完了予定時間や、その後の変更時間等を演算して報知することができる。このような情報報知は、コントローラ４０からコンピュータ４３や、通信網４４、及び利用者が所持している携帯電話４２等の報知手段４を経て発信されて、利用者へ報知される。
【００１８】
前記精米ハウス１２の側部のコントロールボックス３３の近くに車両３２を止めて精米の操作を行う。このとき精米管理制御装置１１の制御は図４に示すフローに従って行われる。利用者は、玄米を玄米ホッパ１に供給し（Ｓ５）、所定のコインをコインメック３４に供給する（Ｓ６）。又、このコントロールボックス３３の操作盤には各種の操作ボタンが配置されているため、この精米を行う目的の精白度設定の白度ボタン４６を選択操作する。そこで、この操作盤のキーボード４１を操作して利用者の暗証番号、乃至記号を入力する（Ｓ８）。これによって精米機１５が作動開始されて自動的に精米が行われるため、利用者はこれら玄米ホッパ１や操作盤等を覆う扉を閉鎖してこの場所から立ち去ることができる。このとき所定の精米操作が適正に行われると玄米入荷等の必要事項が受領レシート４７に記録される。ここで精米が完了すると、コンピュータ４３は精米完了の信号を入力し通信網４３に向け報知信号を出力する。通信網４３を経て利用者が所持している携帯電話４２に精米完了のメッセージが発信される。利用者はこのメッセージがあったこと確認して、精米ハウス１２、又は取出装置５の白米取出部８の位置に戻って取出操作を行う。ここで操作盤のキーボード３６で前記暗証番号等を入力すると、追加コインの有無が前記コントロールボックス３３や取出ボックス３５等の液晶ディスプレイ４８に表示されるため（Ｓ１６，１７）、追加コインが必要なときはこの追加コインをコインメック３８に投入することによって、白米取出部８の取出ボックス３５の扉３９が開かれて（Ｓ１９）、精米仕上がり白米を袋詰５０等して取出すことができる。
【００１９】
前記ストック精米の自由度を高めるために、玄米タンク６や、白米タンク７を複数個配置して利用者宛てのタンクに分配して収容できるようにすることができる。又、各タンク６、７にはタンク番号を付していて、レシート４７にこのタンク番号をプリントすることができる。又、前記玄米ホッパ１には玄米投入完了を兼ねた精米開始スイッチを設けることができる。更に、前記コントロールボックス３３にはストック精米と、ノンストック精米とに切替るストック切替スイッチを設けることができる。
【００２０】
前記精米ハウスでは、コントロールボックス３３や、玄米ホッパ１、及び白米取出ホッパ１６等が左右両側に配置される形態であるが、何れか一方の側の玄米ホッパ１が使用中であるときで、他方の玄米ホッパ１が使用可能であるときは、その旨を表示、乃至報知させることによって効率的に利用することができる。
【００２１】
前記精米機１５によって生じる糠は、排糠ホース２９によって糠袋室２７へ排出されるが、利用者がこの糠を必要として持ち帰るときは、この排糠ホース２９における搬送方向を逆向きに切替て、一旦糠袋２８、又は糠袋室２７に排出された糠を取出ホッパ１６等のコントロールボックス３３の側へ搬送するように構成することができ、この糠を利用者が持ち帰ることができる。この排糠ホース２９は空気搬送、又は螺旋搬送の形態として、正、逆搬送方向の切替を簡単にすることができる。
【００２２】
次に、図５，図６に基づいて、前記精米装置２のセキュリティ制御を説明する。このコントローラ５５の入力側には、コインメック３４の大きい振動や、衝撃等を検出する振動センサ５６と、コインメック３４の前側部の操作作業者を撮影するカメラ５７と、これら作業者等の人体を検出する人体センサ５８と、玄米ホッパ１の玄米投入を検出するホッパセンサ５９と、タイマー６０と等を設ける。これらの検出によって精米装置２の特にコインメック３４部が盗難事故に遭遇していることを判定して、判定信号６１を発信するものである。この出力側には、この他、窃盗等の挙動を検出したことを通報する通報発信機６２や、この犯人に注意信号を発信する注意発信機６３、及び該カメラ５７による情報をビデオ録画する録画器６４等を設ける。これらにより人体検出か、玄米ホッパ１での玄米検出か、又は、コインメック３４の異常振動かの何れかが検出されると窃盗事故発生の有無を判断できる。
【００２３】
図６のフローチャートにおいて、例えば、ステップ１０２の人体あり検出、ステップ１６の投入ホッパＯＦＦ、ステップ１０８で異常振動あり検出、及びステップ１１２のコイン投入なし検出との検出が出そろうと極めて疑わしい人物が進入してきたものと判断しうる。このようなときは報知手段によって威嚇信号や注意信号を出力する。
【図面の簡単な説明】
【００２４】
【図１】精米管理装置のグロック図。
【図２】その一部のコントロールボックス、白米取出装置部の正面図。
【図３】その精米管理制御部のブロック図。
【図４】その制御フローチャート。
【図５】そのセキューリティ制御部のブロック図と、そのフローチャート。
【図６】その制御フローチャート。
【符号の説明】
【００２５】
１    玄米ホッパ
２    精米装置
３    識別手段
４    報知装置
５    取出装置
６    玄米タンク
７    白米タンク
８    白米取出部
【図１】
2006015204.tif 000003
【図２】
2006015204.tif 000004
【図３】
2006015204.tif 000005
【図４】
2006015204.tif 000006
【図５】
2006015204.tif 000007
【図６】
2006015204.tif 000008